【誤訳訂正書】
【提出日】平成17年2月17日(2005.2.17)
【誤訳訂正１】
【訂正対象書類名】明細書
【訂正対象項目名】全文
【訂正方法】変更
【訂正の内容】
【書類名】  明細書
【発明の名称】  アクティブスイッチング星形ノード及び斯かる星形ノードによって相互接続される局のネットワーク
【特許請求の範囲】
【請求項１】  ネットワークにおいて複数の局を相互接続するための星形ノードであって、前記星形ノードはインターフェースを有し、前記インターフェースは、前記複数の局のうちの選択された局を前記星形ノードに接続するための接続端子を有し、前記インターフェースは前記インターフェースに対応する局からの信号を前記接続端子において受け取り前記信号を他のインターフェースの接続端子に送るための手段を有し、
前記星形ノードが共通端子を有し、
前記インターフェースが、前記接続端子に結合される入力部を有し前記対応する局からの信号を受け取るための受信器と、前記接続端子に結合される出力部を有する送信器と、前記受信器の入力部における信号遷移に応答して第１の活性信号を生成するための第１の活性検出器と、前記共通端子における信号遷移に応答して第２の活性信号を生成するための第２の活性検出器と、前記第２の活性信号に応答して前記受信器の出力部から前記共通端子への信号転送を禁止するための第１のスイッチング手段と、前記第１の活性信号に応答して前記共通端子から前記送信器の入力部への信号転送を禁止するための第２のスイッチング手段とを有する星形ノード。
【請求項２】  前記星形ノードが前記共通端子を第１の供給電圧端子に結合するための抵抗器を更に有し、前記第１のスイッチング手段が、駆動信号を受け取るための駆動入力部を有し前記駆動信号に応答して前記共通端子と第２の供給電圧端子との間に導電経路を提供するためのドライバと、前記受信器の出力部と前記ドライバの駆動入力部との間に挿入され前記第２の活性信号に応答する第１の電子スイッチとを有し、前記第２のスイッチング手段が、前記共通端子と前記送信器の入力部との間に挿入され前記第１の活性信号に応答する第２の電子スイッチを有する請求項１に記載の星形ノード。
【請求項３】  前記第１の活性検出器は前記ドライバの駆動入力部に接続される入力部を有し、前記第２の活性検出器は前記送信器の入力部に接続される入力部を有し、前記第１の電子スイッチは前記第２の活性検出器の入力部において信号遷移のないことを示す前記第２の活性信号の値に応答して閉じ、前記第２の電子スイッチが前記第１の活性検出器の入力部において信号遷移のないことを示す前記第１の活性信号の値に応答して閉じる請求項２に記載の星形ノード。
【請求項４】  前記ドライバは、前記共通端子と前記第２の供給電圧端子との間に挿入される主電流導電経路を有し且つ前記駆動入力部に接続される制御電極を有するトランジスタである請求項２又は３に記載の星形ノード。
【請求項５】  前記星形ノードが他の共通端子を前記第１の供給電圧端子に結合するための他の抵抗器を有し、前記インターフェースが他の接続端子、及び前記接続端子と前記他の接続端子との間に接続される終端抵抗器を有し、前記受信器が前記接続端子及び前記他の接続端子に反対に接続される対応する入力部と比較器出力部とを有する第１及び第２の比較器を有し、前記第１の電子スイッチは前記比較器出力部のうちの一方の出力部と前記トランジスタの制御電極との間に挿入され、前記第１のスイッチング手段が、前記第１の電子スイッチと同様に前記第２の活性信号に応答する他の第１の電子スイッチと、前記他の共通端子と前記第２の供給電圧端子との間に挿入される主電流導電経路及び制御電極を有する他のトランジスタとを有し、前記他の第１の電子スイッチが前記比較器出力部のうちの他方の出力部と前記他のトランジスタの制御電極との間に挿入され、前記送信器が非反転入力部及び反転入力部並びに平衡出力部を有し、前記送信器の前記平衡出力部が前記共通端子及び前記他の接続端子のうちの対応する端子に接続され、前記第２の電子スイッチが前記共通端子と前記送信器の非反転入力部及び反転入力部のうちの一方の入力部との間に挿入され、前記第２のスイッチング手段が、前記他の共通端子と前記送信器の非反転入力部及び反転入力部のうちの他方の入力部との間に挿入され前記第２の電子スイッチと同様に前記第１の活性信号に応答する他の第２の電子スイッチを有し、前記第１の活性検出器が前記他のトランジスタの制御電極に接続される追加の入力部を有し、前記第２の活性検出器が、前記送信器の前記非反転入力部及び反転入力部のうちの対応する入力部に接続される前記入力部及び追加の入力部を有する、請求項４に記載の星形ノード。
【請求項６】  前記第１の活性検出器は前記受信器の出力部に接続される入力部を有し、前記第２の活性検出器は前記共通端子に接続される入力部を有し、前記第１の電子スイッチは、前記第２の活性検出器の入力部において信号遷移のないことを示す前記第２の活性信号の値に応じて閉じ、前記第２の電子スイッチは、前記第１の活性検出器の入力部において信号遷移のないことを示す前記第１の活性信号の値に応じて閉じる、請求項２に記載の星形ノード。
【請求項７】  前記ドライバは、前記共通端子と前記第２の供給電圧端子との間に挿入される主電流導電経路と、前記駆動入力部に結合される制御電極とを有するトランジスタである請求項２又は６に記載の星形ノード。
【請求項８】  前記星形ノードは、他の共通端子を前記第１の供給電圧端子に結合するための他の抵抗器を有し、前記インターフェースは他の接続端子、及び前記接続端子と前記他の接続端子との間に接続される終端抵抗器を有し、前記受信器は、前記接続端子及び前記他の接続端子に反対に接続される対応する入力部と比較器出力部とを有する第１及び第２の比較器を有し、前記第１の電子スイッチが前記比較器出力部のうちの一方の出力部と前記トランジスタの制御電極との間に挿入され、前記第１のスイッチング手段が、前記第１の電子スイッチと同様に前記第２の活性信号に応答する他の第１の電子スイッチと、前記他の共通端子と前記第２の供給電圧端子との間に挿入される主電流導電経路及び制御電極を有する他のトランジスタとを有し、前記他の第１の電子スイッチが、前記比較器出力部のうちの他方の出力部と前記他のトランジスタの制御電極との間に挿入され、前記送信器が非反転入力部及び反転入力部並びに平衡出力部を有し、前記送信器の平衡出力部が前記接続端子と前記他の接続端子とのうちの対応する端子に接続され、前記第２の電子スイッチが前記共通端子と前記送信器の前記非反転入力部及び反転入力部のうちの一方の入力部との間に挿入され、前記第２のスイッチング手段が、前記他の共通端子と前記送信器の前記非反転入力部及び反転入力部のうちの他方の入力部との間に挿入され前記第２の電子スイッチと同様に前記第１の活性信号に応答する他の第２の電子スイッチを有し、前記第１の活性検出器が、前記比較器出力部の他方の出力部に接続される追加の入力部を有し、前記第２の活性検出器が前記共通端子及び前記他の共通端子のうちの対応する端子に接続される前記入力部及び追加の入力部を有する請求項７に記載の星形ノード。
【請求項９】  各々が局の間でデータを交換するために他の局に接続される複数の局と、前記局を結合するための手段とを有するネットワークであって、前記結合するための手段が、請求項１、２、３、４、５、６、７又は８に記載された星形ノードであるネットワーク。
【請求項１０】  前記ネットワークが他の星形ノードを有し、前記他の星形ノードは先に言及した前記星形ノードのインターフェースに接続されるインターフェースを有する請求項９に記載のネットワーク。
【発明の詳細な説明】
【０００１】
【発明の属する技術分野】    
本発明は、ネットワークにおいて複数の局（ＳＴ１−ＳＴ３）を相互接続するための星形ノード（ＳＮ１）であって、上記星形ノード（ＳＮ１）はインターフェース（Ｉ１−Ｉ３）を有し、上記インターフェースは、上記複数の局のうちの選択された局を上記星形ノード（ＳＮ１）に接続するための接続端子（ＢＰ）を有し、上記インターフェースは上記インターフェースに対応する局からの信号を上記接続端子（ＢＰ）において受け取り上記信号を他のインターフェースの接続端子（ＢＰ）に送るための手段を有する星形ノード（ＳＮ１）に関する。
【０００２】
本発明は、斯かる星形ノードによって相互接続される局のネットワークにも関する。この種類のネットワークは、例えば、自動車及び他の騒音のする環境で使用することができる。
【０００３】
【従来の技術】
ネットワーク、特に高速ネットワークでは、ネットワークでの反射が信号保全性の問題を起こし得る。この問題は、ビット時間がネットワークを通じた伝播遅延に対して大きくない場合、特に重大である。全ての局が適切に終端した伝送線で星形ノードに接続されているネットワークを作ることができる。斯かる星形タイプのネットワークでは、星形ノードの作業は、局の１つから受け取るデータを他の全ての局に転送することである。斯かる星形タイプのネットワーク及び星形ノードは、米国特許第４，９０３，０１５号から既知である。この既知のネットワークは、適切に終端した伝送線を有しており、それ故に、高速に適している。局に送られ局から受け取られる信号は同じ伝送線を流れ、これによって、コネクタ及びワイヤが節約される。しかし、この既知のネットワークの星形ノードでは、送受信の切替機構を実現するために、かなり複雑な論理回路が要求される。論理回路の複雑さは、星形ノードに接続可能な局の数によって増大する。
【０００４】
【発明が解決しようとする課題】
本発明の目的は、複雑さが低減された星形ノードを提供することにある。
【０００５】
【課題を解決するための手段】
これに対して、本発明によれば、冒頭に規定される星形ノードは、上記星形ノードが共通端子を有し、上記インターフェースが、上記接続端子に結合される入力部を有し上記対応する局からの信号を受け取るための受信器と、上記接続端子に結合される出力部を有する送信器と、上記受信器の入力部における信号遷移に応答して第１の活性信号を生成するための第１の活性検出器と、上記共通端子における信号遷移に応答して第２の活性信号を生成するための第２の活性検出器と、上記第２の活性信号に応答して上記受信器の出力部から上記共通端子への信号転送を禁止するための第１のスイッチング手段と、上記第１の活性信号に応答して上記共通端子から上記送信器の入力部への信号転送を禁止するための第２のスイッチング手段とを有することを特徴とする。
【０００６】
第１及び第２のスイッチング手段は、第１及び第２の活性検出器と協働して、インターフェースの対応する局からの入力信号が同一の局に送られることを防止し、入力信号が他の局にのみ送られることを保証する。全てのインターフェースが同一であり、インターフェースの数の増加によって部品の数は増加しない。
【０００７】
従属項２の実施例では、インターフェースのドライバ、抵抗器、及び共通端子、は自在に拡張可能なワイヤードＯＲシステムを構成する。電子スイッチは信号の適切なルーティングを提供する。
【０００８】
従属項３及び４並びに従属項６及び７の実施例は高速且つ単純なものを提供し、従属項５及び８の実施例は完全に平衡がとれているものである。
【０００９】
本発明による星形ノードの単純さは、星形ノードの設定にほとんど時間を奪われないので、高速且つ効率的なデータ伝送を可能にする。それ故に、星形ノードにおいてスイッチング機能を実行する時間を作るための、送信されたデータのプロトコルのプリアンブルは必要でない。これは、本発明による星形ノードが備えられるネットワークを、ＴＴＰ／Ｃ（Time Triggered Protocol Class C（高速≧１Ｍbit/sec））のようなプリアンブルを規定しないプロトコルに適したものにする。本発明による星形ノードは容易な拡張を更に可能にする。インターフェースの１つを他の星形ノードのインターフェースに接続することによって、星形ノードを加えることができる。
【００１０】
本発明のこれら及び他の態様は、添付されている図面を基準にして記載され説明される。これらの図において、同様の構成要素には同様の符号が付されている。
【００１１】
【発明の実施の形態】
図１は、例として、本発明による星形ノードＳＮ１を通じて相互接続された３つの局ＳＴ１、ＳＴ２及びＳＴ３を有するネットワークを示す。自動車の場合、局は、ネットワークへの接続に適したインターフェースが備えられた温度センサ、ブレーキセンサ、ドアセンサ等とすることができる。星形ノードＳＮ１は、例として、３つのインターフェースＩ１、Ｉ２及びＩ３を有する。インターフェースＩ１、Ｉ２及びＩ３は、局ＳＴ１、ＳＴ２及びＳＴ３のうちの対応する局の星形ノードＳＮ１への接続のための接続ターミナルＢＰ及びＢＭを有する。局ＳＴ１、ＳＴ２及びＳＴ３は、ツイストペア伝送線ＴＷＰ１、ＴＷＰ２及びＴＷＰ３によってインターフェースＩ１、Ｉ２及びＩ３に接続されている。しかしながら、同軸ケーブル及び単一ワイヤ線のような、他の種類の伝送線も可能である。局及びインターフェースの数は３つに限られず、２つ以上の任意の数が可能である。
【００１２】
インターフェースＩ１、Ｉ２及びＩ３は、ツイストペア伝送線の接続のための平衡入力部ＢＰ及びＢＭを有し、更に平衡共通端子ＲＴ１及びＲＴ２を有する。インターフェースＩ１、Ｉ２及びＩ３の共通端子ＲＴ１は全て、第１の共通プルアップ抵抗ＲＰ１を通じて正の供給端子ＰＳＴに接続されている。インターフェースＩ１、Ｉ２及びＩ３の共通端子ＲＴ２は全て、第２の共通プルアップ抵抗ＲＰ２を通じて正の供給端子ＰＳＴに接続されている。
【００１３】
図２は、インターフェースＩ１−Ｉ３のブロック図を示す。インターフェースは、２つの比較器ＣＭＰ１及びＣＭＰ２で構成される受信器と送信器ＴＲとを有する。比較器ＣＭＰ１は、接続端子ＢＰに接続されている非反転入力部ＣＩＰ１と、接続端子ＢＭに接続されている反転入力部ＣＩＮ１とを有する。比較器ＣＭＰ２は、接続端子ＢＭに接続されている非反転入力部ＣＩＰ２と、接続端子ＢＰに接続されている反転入力部ＣＩＮ２とを有する。従って、２つの比較器の入力部は、接続端子に反対に接続されている。送信器ＴＲは、接続端子ＢＭ及びＢＰにそれぞれ接続された平衡出力部ＴＯ１及びＴＯ２を有する。終端抵抗ＲＴＭは、接続された局のツイストペア伝送線に適正な終端インピーダンスを提供するために、接続端子ＢＰとＢＭとの間に接続されている。
【００１４】
インターフェースは、さらに第１及び第２の信号活性検出器Ａ１及びＡ２を有する。第１の信号活性検出器Ａ１は入力信号、即ち、インターフェースに接続される局から受信器により受け取られる信号の変化を検出する。第２の活性検出器は、出力信号、即ち、送信器によってインターフェースに接続される局に送信される信号の変化を検出する。
【００１５】
２つの比較器ＣＭＰ１及びＣＭＰ２は、それぞれ、第１のスイッチング手段ＳＷ１を通じて共通端子ＲＴ１及びＲＴ２に結合される出力部ＣＯ１及びＣＯ２を有する。第１のスイッチング手段ＳＷ１は、第２の活性検出器Ａ２からの第２の活性信号ＡＳ２の制御によって、出力部ＣＯ１及びＣＯ２から共通端子ＲＴ１及びＲＴ２への信号転送を禁止する。第１のスイッチング手段ＳＷ１は、通常閉じており第２の活性検出器ＡＳ２からの第２の活性信号ＡＳ２の命令に従って開く第１及び第２の電子スイッチＳＷ１１及びＳＷ１２が使用されている。第１及び第２の電子スイッチＳＷ１１及びＳＷ１２は、それぞれ、出力部ＣＯ１及びＣＯ２を、ドライバＤＲの第１及び第２の駆動入力部ＤＲ１及びＤＲ２に接続し、及びドライバＤＲの第１及び第２の駆動入力部ＤＲ１及びＤＲ２から切り離し、このドライバＤＲは、比較器ＣＭＰ１及びＣＭＰ２の出力部ＣＯ１及びＣＯ２により供給される相補的な駆動信号の制御によって、共通端子ＲＴ１及びＲＴ２をプルダウン又は解放する。
【００１６】
ドライバＤＲは、第１及び第２のＮ−チャンネルトランジスタＭ１及びＭ２が使用されている。第１のトランジスタＭ１のチャネルは、第１の共通端子ＲＴ１と信号接地としての役割をする負の供給電圧端子ＧＮＤとの間に接続されている。第１のトランジスタＭ１の制御電極又はゲートは駆動入力部ＤＲ１として動作する。そのゲートにおいて正の信号を受け取ると、第１のトランジスタＭ１のチャネルは共通端子ＲＴ１と負の供給端子ＧＮＤとの間に電流導通経路を形成し、第１のトランジスタＭ１は第１の共通端子ＲＴ１における電圧をグランドレベルに引き込む。第２のトランジスタＭ２のチャンネルは、第２の共通端子ＲＴ２と負の供給電圧端子ＧＮＤとの間に接続される。第２のトランジスタＭ２のゲートは駆動入力部ＤＲ２として動作する。そのゲートにおいて正の信号を受け取ると、トランジスタＭ２のチャンネルは第２の共通端子ＲＴ２と負の供給端子ＧＮＤとの間に電流導通経路を形成し、第２のトランジスタＭ２は第２の共通端子ＲＴ２における電圧をグランドレベルに引き込む。
【００１７】
共通プルアップ抵抗ＲＰ１及びＲＰ２並びに各インターフェースＩ１、Ｉ２及びＩ３の第１及び第２のトランジスタＭ１及びＭ２は、インターフェースの間に、簡単なワイヤードＯＲ相互接続システムを構成し、これは、インターフェースの数に依存した個々のインターフェースの電子的設計の増加又は変更を必要すること無く、星形ノードＳＮ１内においてインターフェースを任意の数に簡単に拡張することを可能とする。全てのインターフェースは同じ回路を有する。
【００１８】
共通プルアップ抵抗ＲＰ１、ＲＰ２及び対応するプルダウントランジスタＭ１、Ｍ２の代わりに、比較器ＣＭＰ１及びＣＭＰ２の出力部ＣＯ１及びＣＯ２からの平衡信号の制御によって第１の共通端子ＲＴ１と第２の共通端子ＲＴ２との間にローインピーダンス又はハイインピーダンスを提供することができる他のドライバ段でドライバＤＲを実現してもよい。
【００１９】
送信器ＴＲは、第２のスイッチング手段ＳＷ２を通じて、第１の共通端子ＲＴ１に結合される反転入力部ＴＩＮと第２の共通端子ＲＴ２に結合される非反転入力部ＴＩＰとを有する。第２のスイッチング手段ＳＷ２は、第１の活性検出器Ａ１からの第１の活性信号ＡＳ１の制御によって、共通端子ＲＴ１及びＲＴ２から反転入力部ＴＩＮ及び非反転入力部ＴＩＰへの信号転送を禁止する。第２のスイッチング手段ＳＷ２は第１及び第２の電子スイッチＳＷ２１及びＳＷ２２で実現されており、これらスイッチは通常閉であり、第１の活性検出器Ａ１からの第１の活性信号ＡＳ１の命令に従って開く。第２のスイッチング手段ＳＷ２の第１及び第２の電子スイッチＳＷ２１及びＳＷ２２は、第１及び第２の共通端子ＲＴ１及びＲＴ２を、送信器ＴＲの反転入力部ＴＩＮ及び非反転入力部ＴＩＰに接続し、及び送信器ＴＲの反転入力部ＴＩＮ及び非反転入力部ＴＩＰから切り離す。
【００２０】
第１の活性検出器Ａ１は、入力信号の信号活性を検出する目的で、駆動入力部ＤＲ１及びＤＲ２に接続された入力部Ａ１１及びＡ１２を有する。この代わりに、これら入力部Ａ１１及びＡ１２は、同じ効果を得るために、接続端子ＢＰ及びＢＭ又は出力部ＣＯ１及びＣＯ２に接続されてもよい。第２の活性検出器Ａ２は、出力信号の信号活性を検出する目的で、送信器ＴＲの反転入力部ＴＩＮ及び非反転入力部ＴＩＰにそれぞれ接続された入力部Ａ２１及びＡ２２を有する。この代わりに、これら入力部Ａ２１及びＡ２２は、同じ効果を得るために、共通端子ＲＴ１及びＲＴ２又は接続端子ＢＰ及びＢＭに接続されてもよい。
【００２１】
図３は、局からのデータを受け取るインターフェースで生じる信号を示し、上から下に、接続端子ＢＰ及びＢＭにおける相補的なデータ信号、共通端子ＲＴ１及びＲＴ２における信号、第１の活性信号ＡＳ１、及び第２の活性信号ＡＳ２である。図４は、局にデータを送るインターフェースで生じる対応する信号を示す。
【００２２】
ネットワークにおいて、データは、データの内容に依存して極性を変える接続端子ＢＰとＢＭとの間の相補的な電位差として、局から局へと送られる。データが送られないとき、接続端子ＢＰとＢＭとの間の電圧差はゼロであり、ネットワークはアイドル状態にある。局ＳＴ１が送信局であると仮定すると、受け取ったデータ信号のノイズを除去するためにビルトインしきい値を有する２つの比較器ＣＭＰ１及びＣＭＰ２によってインターフェースＩ１に電圧差が送られる。比較器の出力信号は、通常閉の電子スイッチＳＷ１１及びＳＷ１２を通じて第１及び第２のトランジスタＭ１及びＭ２のゲートを駆動する。第１の活性検出器Ａ１は入力信号の差を検出し、その第１の活性信号ＡＳ１で第２のスイッチング手段ＳＷ２をすばやく活性化する。これによって、第２のスイッチング手段ＳＷ２の第１及び第２の電子スイッチＳＷ２１及びＳＷ２２が開き、第１及び第２の共通端子ＲＴ１及びＲＴ２上の信号は送信器ＴＲの入力部ＴＩＮ及びＴＩＰから切り離される。信号活性がインターフェースの出力ブランチに存在しないので、電子スイッチＳＷ１１及びＳＷ１２は閉じたままである。適切な動作のため、第１の活性検出器Ａ１は、共通端子ＲＴ１及びＲＴ２からのデータ信号が第２の活性検出器Ａ２の入力部Ａ２１及びＡ２２に到達する前に、電子スイッチＳＷ２１及びＳＷ２２を開かなければならず、このため、入力信号は乱されない。
【００２３】
他のインターフェースＩ２及びＩ３は接続端子ＢＰ及びＢＭにおいて局からの入力信号を受け取らないが、受信インターフェースＩ１によって生成される共通端子ＲＴ１及びＲＴ２における信号を共有する。他のインターフェースＩ２及びＩ３では、第１の活性検出器Ａ１は入力信号の信号差を検出しないので、スイッチＳＷ２１及びＳＷ２２は閉じる。しかし、共通端子ＲＴ１及びＲＴ２における信号差は第１の活性検出器Ａ１によって検出され、これによって、第１及び第２の電子スイッチＳＷ１１及びＳＷ１２が第２の活性信号ＡＳ２に応答して開く。それで、他のインターフェースＩ２及びＩ３では、共通端子ＲＴ１及びＲＴ２における信号は、送信器ＴＲの入力部ＴＩＮ及びＴＩＰに接続され、他のインターフェースに接続されている局に送られる。開いたスイッチＳＷ１１及びＳＷ１２は、共通端子における信号の妨害を防ぐ。適切な動作のために、第２の活性検出器Ａ２は、送信器ＴＲによって送られるデータ信号が第１の活性検出器Ａ１の入力部Ａ１１及びＡ１２に到達する前に、電子スイッチＳＷ１１及びＳＷ１２を開かなければならない。
【００２４】
このようにして、局ＳＴ１が伝送している限り、局ＳＴ１から局ＳＴ２及びＳＴ３までデータフロー経路が維持される。局ＳＴ１がデータの送信を停止すると、インターフェースＩ１の接続端子ＢＰとＢＭとの間の電圧差はゼロになり、ネットワークはアイドル状態になる。インターフェースＩ１では、第１の活性検出器Ａ１は活性の検出を停止し、第２のスイッチング手段ＳＷ２の電子スイッチＳＷ２１及びＳＷ２２は通常閉の位置に戻り、共通端子ＲＴ１及びＲＴ２をインターフェースＩ１の受信器ＴＲの入力部ＴＩＮ及びＴＩＰに再接続する。ネットワークがアイドル状態にあるので、共通端子ＲＴ１及びＲＴ２における信号はアイドル状態を示す高電圧レベルのままである。この結果として、他のインターフェースＩ２及びＩ３の電子スイッチＳＷ１１及びＳＷ１２は通常閉の位置に戻る。全てのインターフェースの中の全てのスイッチは閉じ、星形ノードＳＮ１は、どの局からの新しいデータ信号をも受け取る準備が整う。
【００２５】
アイドル状態では、全てのインターフェースの送信器及び受信器はアクティブであり、ネットワークに接続され、全てのデータ経路は完全に開いている。局からのどんなメッセージも、星形ノードＳＮ１によって損失を受けず且つ迅速に中継される。これは、ネットワークを拡張するために星形ノードを縦続接続することが容易であることを意味する。星形ノードＳＮ１の高速動作は、星形ノードの整定時間（settling time）が局の間の相互接続を再配列することを可能にするためのプリアンブルを規定しないプロトコル（例えば、ＴＴＰ／Ｃ）を使用するネットワークにおいて、星形ノードを適したものにもする。また、フレーム間ギャップをより小さくすることができ、このため、実際のデータの利用可能なバンド幅が増大する。フレーム間ギャップは、１つの送信局から別の送信局への切替えを可能とするために確保されなければならない時間である。この時間は、データ伝送にとって無駄である。
【００２６】
活性検出器Ａ１及びＡ２は、ネットワークがアイドル状態であるとき（即ち、接続端子ＢＰとＢＭとの間の電圧差がゼロであるとき）ゆっくりと充電され、データが送信されるとき（即ち、電圧差が比較器ＣＭＰ１及びＣＭＰ２によって検出されるとき）素早く放電されるコンデンサから成るようにすることができる。
【００２７】
既に述べているように、同じスイッチング効果を得るために、入力部Ａ１１及びＡ１２は出力部ＣＯ１及びＣＯ２に接続することができ、入力部Ａ２１及びＡ２２は、共通端子ＲＴ１及びＲＴ２又は接続端子ＢＰ及びＢＭに接続することができる。図５は、この接続構造を有するインターフェースを示す。活性信号ＡＳ１及びＡＳ２は、スイッチＳＷ１１、ＳＷ１２、ＳＷ２１及びＳＷ２２を開閉するために駆動信号を供給する決定論理部ＤＬの入力部に供給される。出力部ＣＯ１及びＣＯ２のうちの１つがハイレベルである場合第１の活性信号ＡＳ１はすばやくハイレベルになり、しばらくして出力部ＣＯ１とＣＯ２との両方がローレベルになった後、即ち活性が生じないとき、第１の活性信号ＡＳ１はローレベルに戻る。第２の活性検出器Ａ２は同じように動作する。共通端子ＲＴ１及びＲＴ２のうちの１つがローレベルの場合、第２の活性信号ＡＳ２はすばやくハイレベルになり、しばらくして出力部ＲＴ１とＲＴ２との両方がハイレベルになった後、第２の活性信号ＡＳ２はローレベルに戻る。
【００２８】
決定論理部ＤＬは、３つの状態、即ち、アイドル、受信、及び送信を有する。第１の活性信号ＡＳ１と第２の活性信号ＡＳ２との両方がローのとき、決定論理部ＤＬはアイドル状態であり、スイッチＳＷ１１、ＳＷ１２、ＳＷ２１及びＳＷ２２は全て閉じる。第１の活性信号ＡＳ１がハイレベルであるとき、接続端子ＢＰ及びＢＭにおいて活性であり、決定論理部ＤＬは受信状態である。受信状態では、スイッチＳＷ１１及びＳＷ１２は閉じたままであり、スイッチＳＷ２１及びＳＷ２２は開く。共通端子ＲＴ１及びＲＴ２において活性であるため、第２の活性信号ＡＳ２はハイレベルであるが、このことは、決定論理部ＤＬの状態を変更しない。決定論理部ＤＬは、第１及び第２の活性信号ＡＳ１及びＡＳ２の両方がローであるときだけ、アイドル状態に戻ることができる。接続端子ＢＰ及びＢＭにおける活性が停止するとき、第１の活性信号ＡＳ１はローになり、その後すぐに第２の活性信号ＡＳ２はローになり決定論理部ＤＬはアイドル状態に戻る。第２の活性検出器Ａ２が共通端子ＲＴ１及びＲＴ２において最初に活性を検出すると、送信状態が生じる。次に、スイッチＳＷ１１及びＳＷ１２は開き、スイッチＳＷ２１及びＳＷ２２は閉じたままである。
【００２９】
図６は、図１のネットワークにおいて、１つの局が別の星形ノードＳＮ２に置き換えられたネットワークを示す。星形ノードＳＮ１の第３のインターフェースＩ３の接続端子ＢＰ、ＢＭは、例えば、第２の星形ノードＳＮ２の第１のインターフェースＩ１の対応する接続端子に接続される。星形ノードＳＮ１及びＳＮ２の残りのインターフェースは、局に接続されている。このようにして、星形ノード及び局の数は、自由に増やすことができる。
【００３０】
図に示されているインターフェース及び局は、完全平衡回路を有する。しかし、シングルエンドとすることも可能でもある。例えば平衡接続端子ＢＰ、ＢＭと単一の共通端子との組合せも可能である。受信器と第１のスイッチング手段ＳＷ１との結合機能をスイッチト利得増幅器（switched gain amplifier）で実現することもできる。同じことが、送信器と第２のスイッチング手段との結合機能に当てはまる。
【図面の簡単な説明】
【図１】  本発明による星形ノードを通じて相互接続される局を有するネットワークを示す。
【図２】  本発明による星形ノード用の第１のインターフェースのブロック図を示す。
【図３】  局からデータを受け取る第１のインターフェースで生じる信号を示す。
【図４】  局にデータを送る第１のインターフェースで生じる信号を示す。
【図５】  本発明による星形ノード用の第２のインターフェースのブロック図を示す。
【図６】  図１のネットワークにおいて、局の１つが別の星形ノードに置き換えられたネットワークを示す。